(57)【要約】【課題】  高い視認性を有し、密閉性を確保しつつも、きわめて容易に表示灯を内蔵できる表示灯取付装置及びこれを内蔵した遮断バーを提供する。【解決手段】  表示灯１０が取り付けられる表示灯取付部４と、この表示灯取付部４を遮断バー１の内部に保持させる保持部６とを備え、該保持部６がその弾性力で前記遮断バー１の内面に当接される弾性部材で構成された表示灯取付装置３で表示灯１０を取り付ける。また、遮断バー１については、遮断バー１をガラス繊維強化プラスチックで形成すると共に、表示灯１０と対向する部位２の肉厚を相対的に薄くする。あるいは、表示灯と対向する部位を平坦に形成する。【選択図】      図２
2005053392.tif 000002
【特許請求の範囲】
【請求項１】
遮断機を構成する遮断バーの内部に、表示灯を取り付けるための表示灯取付装置であって、
表示灯が取り付けられる表示灯取付部と、この表示灯取付部を前記遮断バーの内部に保持させる保持部とを備え、
前記保持部はその弾性力で前記遮断バーの内面に当接される弾性部材で構成されたことを特徴とする表示灯取付装置。
【請求項２】
前記表示灯取付部と前記保持部とが一体に形成され、
前記表示灯取付部が、前記遮断バーの軸方向に沿って凹状に形成され、その底部が前記表示灯の取り付けられる取付座として構成されたことを特徴とする請求項１に記載の表示灯取付装置。
【請求項３】
前記表示灯取付部と前記保持部とは別体として構成され、
前記表示灯取付部は、前記遮断バーの軸方向に沿って凹状に形成され、前記表示灯取付部が締結手段により前記保持部に固着されたことを特徴とする請求項１に記載の表示灯取付装置。
【請求項４】
遮断機を構成する遮断バーであって、
前記遮断バーの内部には、表示灯が取り付けられる表示灯取付部と、弾性力で前記遮断バーの内面に当接される弾性部材で形成され、前記表示灯取付部を前記遮断バー部の内部に保持させる保持部とを備えた表示灯取付装置によって前記表示灯が取り付けられ、
前記表示灯と対向する前記遮断バーの部位が、平坦な面に形成されたことを特徴とする遮断バー。
【請求項５】
遮断機を構成する遮断バーであって、
前記遮断バーがガラス繊維強化プラスチックにより形成され、
前記遮断バーの内部には、表示灯が取り付けられる表示灯取付部と、弾性力で前記遮断バーの内面に当接される弾性部材で形成され、前記表示灯取付部を前記遮断バー部の内部に保持させる保持部とを備えた表示灯取付装置によって前記表示灯が取り付けられ、
前記表示灯と対向する前記遮断バーの部位が、相対的に薄肉に形成されていることを特徴とする遮断バー。
【請求項６】
前記保持部を係合せしめ、前記表示灯保持装置を所定の位置に係止させる位置決め手段が設けられたことを特徴とする請求項４又は請求項５に記載の遮断バー。
【発明の詳細な説明】
【技術分野】
【０００１】
本発明は、強固かつ容易に表示灯を遮断バーの内部に取り付けるための表示灯取付装置及びこの表示灯取付装置より表示灯の取り付けられた遮断バーに関する。
【背景技術】
【０００２】
踏切或いは駐車場の遮断機等に使用される遮断バーの視認性を向上させることが従来から行われている。例えば、特許文献１には、遮断バーに発光体を内蔵し、この発光体の配置させた位置に対応する部分を透明にする発明が開示されている。この発明では、発光体をリード線で数珠状に接続し、このリード線を遮断バーの軸方向に適宜配された防振板に保持させている。そして、防振板を遮断バーの軸方向に延びる補強棹で保持させると共に、この補強棹の両端を蓋体で遮断バーの両端に保持させている。
【０００３】
また、特許文献２には、遮断バーの軸方向に凹部を形成し、その中に注意喚起用の発光ダイオードや給電線等の発光体を配設した発明が開示されている。この発明では、少なくとも発光体の配設された部分は透光性となるように、凹部を覆うカバーを遮断バーに係合させる構造としている。この発明は、発光体を遮断バーの内部に収めることで、通行車両や通行人との接触を阻止して、発光体の破損を防止するものである。
【０００４】
【特許文献１】実開平３−８２２７１号公報
【特許文献２】特開平６−４８３００号公報
【発明の開示】
【発明が解決しようとする課題】
【０００５】
しかし、特許文献１に開示の発明では部品点数が多くなり、構造も複雑となってしまう。また、遮断バーが長くなると、組立が困難となり、組立作業に多大な時間を費やしてしまう。さらには、遮断バーの軸方向の端部から端部まで発光体をセットすると、重量が増してしまう。その結果、これを回転駆動する駆動源として大きなパワーを有するものが必要となり高価となってしまう。
【０００６】
一方、特許文献２に開示の発明では、透明性カバーが単に係合爪を介して取り付けられているだけなので、透明性カバーの劣化により、遮断バーの開口部分と透明性カバーとの境界部分から雨水が浸入する。また、衝撃が加わった際、アルミ製遮断バー本体より強度の低い透明性カバーが破損し、これに伴う余分な修理、取替作業が生じていた。
【０００７】
そこで、本発明では、高い視認性を有し、密閉性を確保しつつも、きわめて容易に表示灯を内蔵することができる表示灯取付装置及びこれを内蔵した遮断バーを提供する。
【課題を解決するための手段】
【０００８】
請求項１の発明では、遮断機を構成する遮断バー（１，７０）の内部に、表示灯（１０）を取り付けるための表示灯取付装置（３，２０，３０，４０，５０，６０，８０）であって、表示灯（１０）が取り付けられる表示灯取付部（４，２１，３１，４１，５４，６４，８１）と、この表示灯取付部（４，２１，３１，４１，５４，６４，８１）を前記遮断バー（１，７０）の内部に保持させる保持部（６，２６，３５，４３，５１，６１，８４）とを備え、前記保持部（６，２６，３５，４３，５１，６１，８４）を、その弾性力で前記遮断バー（１，７０）の内面に当接される弾性部材で構成した。
【０００９】
請求項２の発明では、請求項１の発明において、前記表示灯取付部（４，３１，４１，８１）と前記保持部（６，３５，４３，８４）とが一体に形成され、前記表示灯取付部（４，３１，４１，８１）が、前記遮断バー（１，７０）の軸方向に沿って凹状に形成され、その底部が前記表示灯（１０）の取り付けられる取付座（５，３４，４２，８２）として構成されたことを特徴としている。
【００１０】
請求項３の発明では、請求項１の発明において、前記表示灯取付部（２１，５４，６４）と前記保持部（２６，５１，６１）とは別体として構成され、前記表示灯取付部（２１，５４，６４）は、前記遮断バー（１）の軸方向に沿って凹状に形成され、前記表示灯取付部（２１，５４，６４）が締結手段により前記保持部（２６，５１，６１）に固着されたことを特徴としている。
【００１１】
請求項４の発明では、遮断機を構成する遮断バー（７０）であって、前記遮断バー（７０）の内部には、表示灯（１０）が取り付けられる表示灯取付部（８１）と、弾性力で前記遮断バー（７０）の内面に当接される弾性部材で形成され、前記表示灯取付部（８１）を前記遮断バー（７０）部の内部に保持させる保持部（８４）とを備えた表示灯取付装置（８０）によって前記表示灯（１０）が取り付けられ、前記表示灯（１０）と対向する前記遮断バー（７０）の部位を平坦な面に形成した。
【００１２】
請求項５の発明では、遮断機を構成する遮断バー（１）であって、前記遮断バー（１）がガラス繊維強化プラスチックにより形成され、前記遮断バーの内部には、表示灯（１０）が取り付けられる表示灯取付部（４，２１，３１，４１，５４，６４）と、弾性力で前記遮断バー（１）の内面に当接される弾性部材で形成され、前記表示灯取付部（４，２１，３１，４１，５４，６４）を前記遮断バー（１）部の内部に保持させる保持部（６，２６，３５，４３，５１，６１）とを備えた表示灯取付装置（３，２０，３０，４０，５０，６０）によって前記表示灯（１０）が取り付けられ、前記表示灯（１０）と対向する前記遮断バー（１）の部位を、相対的に薄肉に形成した。
【００１３】
請求項６の発明では、請求項４又は請求項５の発明において、前記保持部（６，２６，３５，４３，５１，６１，８４）を係合せしめ、前記表示灯（１０）保持装置を所定の位置に係止させる位置決め手段（７，６ａ，８）が設けられたことを特徴としている。
【発明の効果】
【００１４】
請求項１〜請求項３の発明によれば、表示灯取付装置の構造を簡素にでき、しかも、テーパー状の遮断バーに対し、表示灯取付装置をすぼませるようにして挿入できるので容易に内蔵させることができる。また、遮断バーの所定の位置及び向きに当該表示灯取付装置を強固に保持させることができる。
【００１５】
請求項４の発明によれば、表示灯の光を遮断バーから均一に照射させることができ、視認性を高くすることができる。
【００１６】
請求項５の発明によれば、遮断バーに継ぎ目等が無く、雨水の浸水を確実に防止できる。しかも、表示部の肉厚が相対的に薄いため、透光性を向上させることができる。
【００１７】
請求項６の発明によれば、遮断バーの長さにかかわらず、表示灯が遮断バーの表示部と対向するように表示灯取付装置の向きを確実に保持できる。しかも、表示灯取付装置のズレを防止できる。
【発明を実施するための最良の形態】
【００１８】
以下、本発明の実施の形態について、図面を参照しながら説明する。
【００１９】
図１及び図２は、本発明の一実施形態にかかる遮断バー１及びこの遮断バー１の内部に表示灯１０…１０を取り付けるための表示灯取付装置３を示している。
【００２０】
遮断バー１は、細長い円筒状の部材であって、その基部１ａから先端１ｂに向かうにつれ、その径が漸次小さくなるようテーパー状に形成されている。この遮断バー１は、内部が空洞となっており、この内部に表示灯１０…１０が複数取り付けられ、図示していないが、遮断バー１内に挿入されたリード線に一定の間隔で設けられたレセプタクル（差込口）に接続された後、通電操作により点灯する。
【００２１】
この遮断バー１は、透明又は半透明な部材から構成されており、その周方向の一部を除き、ほぼ一定の肉厚に形成されている。そして、遮断バー１の周方向の一部には、他の部位に比して相対的に肉厚を薄く形成した表示部２が遮断バー１の軸方向に沿って形成されている。遮断バー１は、例えば、マンドレルにガラス繊維強化プラスチックであるガラス繊維プリプレグシートを捲き付けて形成される。なお、他の部位に比して薄肉に形成された表示部２は、ガラス繊維プリプレグシートの積層量を他の部位より少なくさせればよい。
【００２２】
一方、表示灯１０…１０は、表示灯取付装置３によって、遮断バー１の軸方向に沿って複数配置されている。この表示灯取付装置３は、表示灯１０…１０が取り付けられる表示灯取付部４と、表示灯取付部４を遮断バー１の内部に保持させる一対の保持部６，６とから構成され、その外形が略円弧状となるように表示灯取付部４と保持部６，６とが金属板で一体に形成されている。但し、表示灯取付装置３は、表示灯取付部４を金属板で形成し、インサート成形によって、保持部６，６を樹脂で表示灯取付部４と一体的に形成しても構わない。
【００２３】
表示灯取付部４は、表示灯取付装置３の半径方向内側に窪まされ、遮断バー１の軸方向に沿って凹状に形成されている。凹状に形成されたその底部は、表示灯１０…１０の取り付けられる取付座５として構成される。この取付座５には、軸方向に連なる複数の取付孔５ａ…５ａの群が軸方向の所定の間隔毎に複数設けられている。これら取付孔５ａ…５ａには表示灯１０…１０がその先端を半径方向外側に向けてそれぞれ挿入されて取付けられている。
【００２４】
保持部６，６は、この表示灯取付部４の両側から円弧状に延びている。この保持部６，６の曲率半径は、遮断バー１の内径よりやや大きめに形成されている。このため、表示灯取付装置３を遮断バー１に内蔵すると半径方向に収縮され、保持部６，６の有する弾性力により生ずる、半径方向外側に広がる弾発力が付与される。この弾発力により保持部６，６が遮断バー１の内面に付勢され、保持部６，６の外面が遮断バー１の内面に密着し、表示灯取付装置３は遮断バー１の内部に強固に保持される。また、保持部６，６が有する弾性力により、テーパー状の遮断バーにも対応可能である。
【００２５】
そして、表示灯取付装置３に取り付けられた表示灯１０…１０が確実に表示部２に向けられるように、遮断バー１と表示灯取付装置３には位置決め機構が設けられている。この位置決め機構は、遮断バー１の内面に形成された係合溝７，７と、保持部６，６の先端に形成され、係合溝７，７に係合される係合爪６ａ，６ａとから構成されている。図３は、片側の保持部６に形成された係合爪６ａが係合溝７に係合された状態を拡大した図である。係合溝７，７は、表示灯１０…１０が表示部２と対向する状態で表示灯取付装置３が遮断バー１に内蔵された際に、各保持部６，６の先端に対応する位置にて、遮断バー１の軸方向に沿って形成されている。一方、係合爪６ａ，６ａは、保持部６，６の先端が半径方向外側に向けて折り曲げられるようにして保持部６，６の先端縁に沿って形成されている。保持部６，６に形成された係合爪６ａ，６ａが、遮断バー１の内面に形成された係合溝７，７に係合すると、表示灯取付装置３の周方向への移動が阻止される。これにより、表示灯取付装置３は表示灯１０…１０が遮断バー１に形成された表示部２と対向された状態に確実に保持される。
【００２６】
なお、位置決め機構は、図４に示すように、遮断バー１Ａの内面に、係合爪８を形成して設けてもよい。遮断バー１Ａの内面には、保持部６Ａの先端に対応する位置に、内側に向けて突出された係合爪８が遮断バー１Ａの軸方向に沿って形成されている。保持部６Ａの先端がこの係合爪８に係合されることで、表示灯取付装置２の周方向の移動が阻止され、表示灯１０…１０が確実に表示部２に向けられる。
【００２７】
以上、表示灯取付部と保持部とが一体に形成された表示灯取付装置について説明したが、図５に示すように、表示灯取付部と保持部とを別体に設けても構わない。
【００２８】
この図５に示す表示灯取付装置２０では、別体として設けられた表示灯取付部２１と保持部２６，２６とがリベット２８，２８により結合されている。
【００２９】
表示灯取付部２１は、帯状の部材であって、表示灯１０…１０が取り付けられる本体部２２と、本体部２２の両サイドにそれぞれ設けられた一対の結合部２４，２４とから構成されている。本体部２２は、その横断面の形状が凹状に形成されており、その底部が、表示灯１０…１０の取り付けられる取付座２３として構成されている。一方、結合部２４，２４は本体部２２の両サイドから円弧状に延びるように形成されている。そして、結合部２４，２４には、それぞれの先端側にリベット２８，２８の通される結合孔２５，２５が長手方向に沿って複数形成されている。この表示灯取付部２１に結合される保持部２６，２６は、弾性を有する金属板又は樹脂により、その横断面の形状が円弧状に形成されている。保持部２６，２６の幅方向の一端側には、その長手方向に沿って複数の係合孔２７，２７がそれぞれ形成されている。
【００３０】
表示灯取付部２１と保持部２６，２６とは、表示灯取付部２１の結合部２４，２４の外面側に保持部２６，２６が重ね合わされるようにして結合される。重ね合わされた結合部２４，２４と保持部２６，２６とは、それぞれに形成された結合孔２５，２７が一致され、これら結合孔２５，２７にリベット２８，２８が挿入される。挿入されたリベット２８，２８で両者をかしめることで表示灯取付部２１と保持部２６，２６とが互いに結合される。
【００３１】
リベット２８，２８でかしめる際に、保持部２６，２６の外面側は、リベット２８，２８が保持部２６，２６の外面から突出することの無いように端部を平坦につぶし込むとよい。これにより、表示灯取付装置２０を遮断バー１に内蔵させた際に、保持部２６，２６の外面を遮断バー１の内面に密着させることができる。なお、表示灯取付部２１と保持部２６，２６とを結合する手段としては、ねじを使用しても構わない。ねじを使用する場合、内側から挿入させ、先端が保持部２６，２６の外面と面一となるように締め付ければよい。
【００３２】
図６は、外形が略Ｓ型に形成された表示灯取付装置３０を示している。
【００３３】
この表示灯取付装置３０は、凹状に形成された表示灯取付部３１と、表示灯取付部３１の片側から下方に向けて延びる保持部３５とが金属板により一体に形成されている。
【００３４】
表示灯取付部３１の凹状に形成された部分の底部は、平坦に形成され、表示灯が取り付けられる取付座３４として構成されている。表示灯取付部３１の一方の側部３２は、円弧状に湾曲され、その先端が内側に向けられている。他方の側部３３も円弧状に湾曲され、保持部３５の根元と一体に形成されている。
【００３５】
保持部３５は、斜め下方に向けて延びる平板部３６と、この平板部３６の下端にて円弧状に形成された円弧部３７とから構成されている。平板部３６は、上述した表示灯取付部３１の他方の側部３３から上述の一方の側部３２に対応する逆サイドに向けて斜め下方に延びている。円弧部３７は、平板部３６の下端から再び上述した他方の側部３３に対応する逆サイドに向けて円弧状に延びている。
【００３６】
この表示灯取付装置３０は、遮断バー１に内蔵されると、表示灯取付部３１の両側部に位置する湾曲した側部３２，３３と、保持部３５の円弧部３７とが遮断バー１の内面に当接する。この際、表示灯取付装置３０は、その高さ方向に収縮される。この収縮に伴い、表示灯取付装置３０には、高さ方向に弾発力が付与される。そして、当接した表示灯取付部３１の湾曲した側部３２，３３と保持部３５の円弧部３７とが遮断バー１の内面を外側に向けて押圧する。これにより表示灯取付装置３０は、遮断バー１の内面に強固に保持される。
【００３７】
図７は、さらに別の実施形態にかかる表示灯取付装置４０を示している。
【００３８】
この表示灯取付装置４０も、金属板により、表示灯１０…１０の取り付けられる表示灯取付部４１と、一対の保持部４３，４３とが一体に形成されている。表示灯取付部４１は凹状に形成され、その底部が取付座４２として構成されている。表示灯１０…１０は、この取付座４２に取り付けられている。一方、保持部４３，４３は表示灯取付部４１の両サイドから、図７の下方に向けて延びている。この保持部４３，４３は、その概略が円弧状に形成されるように、中間部分に屈曲部４４…４４がそれぞれ複数設けられている。なお、保持部４３，４３はこれら屈曲部４４…４４が外側方に向けられるように折り込まれている。
【００３９】
この表示灯取付装置４０によれば、遮断バー１にこの表示灯取付装置４０を内蔵させると、保持部４３，４３の屈曲部４４…４４が遮断バーの内面を半径方向外側に押圧する。保持部４３，４３に蓄えられた弾発力は、この屈曲部４４…４４から集中的に遮断バー１へ伝達され、より強固に保持させることが可能となる。
【００４０】
図８及び図９に示す表示灯取付装置は、表示灯取付部に設けられる凹状の部位が、別個の部材として構成されたものである。
【００４１】
図８に示す表示灯取付装置５０は、発泡体等の軽量で且つある程度の弾性を有する部材からなる保持部５１と、この保持部５１の上面に取り付けられた表示灯取付部５４とから構成されている。
【００４２】
保持部５１は、所定の板厚に形成されたベース部５２と、このベース部５２の上面に積層された支持部５３とから構成されている。このベース部５２は、遮断バー１の軸方向における一端から他端に向かうにつれ、その幅が漸次小さくなるよう先細り状に形成されている。また、ベース部５２の両側端面５２ａ，５２ａは曲面状に膨らむように形成されている。
【００４３】
このベース部５２に積層された支持部５３は、横断面の形状が矩形状に形成され、遮断バー１の軸方向に延びるように形成されている。なお、ベース部５２と支持部５３とは、支持部５３の下面がベース部５２の上面に接着されて一体に形成されている。
【００４４】
そして、表示灯取付部５４はこの支持部５３の上面に固着され、同じく遮断バー１の軸方向に沿って延びるように取り付けられている。この表示灯取付部５４はその断面形状が凹状に形成されている。表示灯取付部５４は、平坦に形成され、表示灯１０…１０が取り付けられる取付座５５と、この取付座５５の両側部から斜め上方に向け、末広がりとなるように形成された一対の側壁部５６，５６とから構成されている。取付座５５はその下面が支持部５３の上面と密着するように取り付けられている。表示灯１０…１０は、その下面から下方に向けて延びる脚柱が取付座５５の上面から支持部５３に到達するように差し込まれて取り付けられている。
【００４５】
このように構成された表示灯取付装置５０は、表示灯１０…１０が遮断バー１の表示部２へ向けられ、保持部５１の両側面が遮断バー１の内面に支えられるようにして遮断バー１に内蔵される。この際、保持部５１は遮断バー１の中央部に位置され、その幅方向が遮断バー１の直径方向に一致される。遮断バー１の中央部に保持部５１を位置させることで、保持部５１の遮断バー１に対する座りを良好にすることができ、表示灯取付装置５０の保持状態が安定する。なお、保持部５１は、その長手方向の一端から他端に向かうにつれ、その幅が漸次小さくなるように形成されているため、一端側の径が小さくなるようにテーパー状に形成された遮断バー１に、表示灯取付装置５０は無理なく内蔵される。
【００４６】
図９に示す表示灯取付装置６０も、保持部６１と表示灯取付部６４とが別体として設けられている。
【００４７】
保持部６１は、平坦な板状に形成された平板部６２と、平板部６２の両側に設けられた一対の円弧部６３，６３とから構成されている。円弧部６３，６３は、表示灯取付装置６０が遮断バー１に内蔵された際に、その外面が遮断バー１の内面と密接するように、外側に向けて膨らむように形成されている。なお、これら平板部６２と円弧部６３，６３とは、金属板により一体に形成されている。
【００４８】
一方、表示灯取付部６４は、その底部を構成し、平坦に形成された取付座６５と、取付座６５の両側から垂直に延びる一対の壁面６６，６６とからなり、「コ」の字状に形成されている。この表示灯取付部６４は、保持部６１の平板部６２における幅方向の中央にて、その取付座６５が平板部６２に密着され、ねじ等の締結部材（不図示）により取り付けられる。
【００４９】
そして、平板部６２と取付座６５とには、これらの長手方向の所定の位置に表示灯１０…１０が取り付けられる取付孔（不図示）が形成されている。表示灯１０…１０は、平板部６２の裏から取付孔（不図示）に挿入され、表示灯取付部６４の内側に収容されるように取り付けられる。
【００５０】
次に図１０及び図１１を参照して、表示部７４が平坦に形成された遮断バー７０と、この遮断バー７０に表示灯１０…１０を取り付けるための表示灯取付装置８０について説明する。
【００５１】
この遮断バー７０は、図１０に示すように、その横断面の形状が略Ｕ字状に形成された本体部７１と、平坦に形成された表示部７４とから構成されている。本体部７１は、平坦に形成された、一対の対向する平面部７２，７２と、これら平面部７２，７２の一端７２ａ，７２ａ同士を連絡している、円弧状に形成された円弧部７３とから構成されている。また、表示部７４は、円弧部７３と対向する位置にて、平面部の他端７２ｂ，７２ｂ同士を連絡するように形成されている。なお、この遮断バー７０に関しても、ガラス繊維強化プラスチックで形成するとよい。
【００５２】
一方、この遮断バー７０の内部に表示灯１０…１０を取り付ける表示灯取付装置８０は、複数の表示灯１０…１０が取り付けられる表示灯取付部８１と、この表示灯取付部８１の両側部に設けられ、遮断バー７０の内部に当該表示灯取付装置８０を保持させる一対の保持部８４，８４とから構成されている。
【００５３】
表示灯取付部８１は凹状に形成されており、その底部を構成する取付座８２は、幅広の平坦面に形成されている。また、表示灯取付部８１の両側部８３，８３は、取付座８２の前方に向けて突出するようにして円弧状に湾曲している。一方、保持部８４，８４は、その根元が表示灯取付部８１の両側部と一体に形成されており、相互に平行をなして対向するように配されている。そして、各保持部８４，８４の先端８４ａ，８４ａは、内側に向けて円弧状に湾曲している。
【００５４】
この表示灯取付装置８０も、弾性を有する金属板により表示灯取付部８１と保持部８４，８４とが一体に形成されている。なお、この表示灯取付装置８０に関しても、表示灯取付部８１を金属板で形成し、インサート成形によって、保持部８４，８４を樹脂で表示灯取付部８１と一体的に形成しても構わない。
【００５５】
この表示灯取付装置８０は、その取付座８２が幅広の平坦面として形成されている。このため、遮断バー７０の軸方向に表示灯１０…１０を連ねて取り付けるだけでなく、取付座８２の幅方向にも複数の表示灯１０…１０を並べて取り付けることができる。これにより、当該表示灯取付装置８０では、複数の表示灯１０…１０を並べ、所定の文字、記号あるいは簡単な図形を形成することができる。図１１は、その一例を示すもので、「ＳＴＯＰ」の文字が描かれるように複数の表示灯１０…１０が取付座８２に取り付けられている。
【００５６】
この表示灯取付装置８０は、次のように、遮断バー７０に内蔵される。
【００５７】
表示灯取付装置８０は、表示灯１０…１０の取り付けられた表示灯取付部８１が、遮断バー７０の平坦な表示部７４側に向けられ、表示灯１０…１０が表示部７４面と対向されて内蔵される。表示灯取付部８１の両側部８３，８３は、遮断バー７０における本体部７１と、表示部７４との境界をなす隅部にそれぞれフィットされる。一方、保持部８４，８４は、その外面が遮断バー７０の本体部７１の内面に密着されるように配置される。
【００５８】
表示灯取付装置８０が遮断バー７０に内蔵されると、保持部８４，８４は、その弾発力により外側に向けて付勢される。このため、保持部８４，８４は、遮断バー７０の内面を外側方に向けて押圧し、この押圧力により、当該表示灯取付装置８０を強固に遮断バー７０の内部に保持させる。なお、表示灯取付部８１は凹状に形成されているので、表示灯１０…１０が表示面と干渉することはない。
【図面の簡単な説明】
【００５９】
【図１】本発明の一実施形態にかかる遮断バー及び遮断バーに内蔵された表示灯取付装置を示す遮断バーの縦断面図。
【図２】図１のＩＩ−ＩＩ断面を示す図。
【図３】係合溝及び係合爪からなる位置決め機構の拡大図。
【図４】図３とは別の実施形態にかかる位置決め機構を示す拡大図。
【図５】表示灯取付部と保持部とが別体として設けられた一実施形態にかかる表示灯取付装置の横断面図。
【図６】Ｓ字型に形成された表示灯取付装置の横断面図。
【図７】保持部に屈曲部の設けられた表示灯取付装置の横断面図。
【図８】表示灯取付部と保持部とが別体として設けられた別の実施形態にかかる表示灯取付装置及び遮断バーの横断面図。
【図９】表示灯取付部と保持部とが別体として設けられた更に別の実施形態にかかる表示灯取付装置の横断面図。
【図１０】表示部が平坦に形成された遮断バー及びこの遮断バーに内蔵された表示灯取付装置の横断面図。
【図１１】表示灯の配列の一例を示す図。
【符号の説明】
【００６０】
１，７０    遮断バー
２，７４    表示部
３，２０，３０，４０，５０，６０，８０    表示灯取付装置
４，２１，３１，４１，５４，６４，８１    表示灯取付部
５，２３，３４，４２，５５，６５，８２    取付座
６，２６，３５，４３，５１，６１，８４    保持部
６ａ    係合爪（位置決め手段）
７    係合溝（位置決め手段）
８    係合爪（位置決め手段）
１０    表示灯
【図１】
2005053392.tif 000003
【図２】
2005053392.tif 000004
【図３】
2005053392.tif 000005
【図４】
2005053392.tif 000006
【図５】
2005053392.tif 000007
【図６】
2005053392.tif 000008
【図７】
2005053392.tif 000009
【図８】
2005053392.tif 000010
【図９】
2005053392.tif 000011
【図１０】
2005053392.tif 000012
【図１１】
2005053392.tif 000013